(57)【要約】      （修正有）【課題】感触を確認し、グリップをよく調べることのできるディスプレイホルダを提供する。【解決手段】グリップ用の対話型ディスプレイホルダは、上支持部１６及び下支持部１８を含むバックボード１４を有する。下支持部は、グリップの下端部における開口部１２ｂを通じて下端部でグリップを保有することでグリップを支持する。上支持部は、グリップの終端部における孔と係合する旋回アーム２０を通じてグリップを保持する。グリップがディスプレイホルダにある間、グリップは、見込み客がパッケージや箱容器を開けることなく感触のためにグリップを扱うことができるようホルダから離されてもよい。対話型ディスプレイホルダは、グリップの感触のためにゴルフクラブグリップを扱うことに特に適している。【選択図】図１
2017205498.tif 000002
【特許請求の範囲】
【請求項１】
グリップ用の対話型ディスプレイホルダであって、
グリップを受容する、長さ方向に延在するバックボードと、
前記バックボードの下端部に取り付けられる下支持部であって、前記グリップの下端部における開口部を受容するよう構成される円筒部分を有し、前記バックボード上で前記グリップの前記下端部において前記グリップを解放可能に保持する下支持部と、
前記バックボードの上端部に取り付けられる上支持部であって、先端部に移動可能に取り付けられるアームを有し、前記アームが前記グリップの上端部における孔と解放可能に係合され前記グリップを前記バックボードから離れるよう旋回させるよう構成される上支持部と、を備えるグリップ用の対話型ディスプレイホルダ。
【請求項２】
前記上支持部は一方向に前記バックボードから横方向に延在するポストであって、前記ポストの前記アームが前記下支持部の前記円筒部分と整列されるポストを有する、請求項１記載のグリップ用の対話型ディスプレイホルダ。
【請求項３】
前記下支持部は前記バックボードに対して略直角に取り付けられるベースであって、前記ポストの前記アームに向かう方向に整列され堅く配置される台座突起部を含むベースを有する、請求項２記載のグリップ用の対話型ディスプレイホルダ。
【請求項４】
前記ベース、前記ポスト、前記台座突起部、及び、前記アームは、プラスチック材料よりなる、請求項３記載のグリップ用の対話型ディスプレイホルダ。
【請求項５】
前記アームは、前記アームに前記グリップの前記上端部を解放可能に固定するよう前記グリップの前記孔と係合される一端部に少なくとも一つの環状リッジを更に有する、請求項４記載のグリップ用の対話型ディスプレイホルダ。
【請求項６】
前記アームは、前記アームに前記グリップの前記上端部を解放可能に固定するよう前記グリップの前記孔と係合される端部に複数の離間された環状リッジを更に有する、請求項５記載のグリップ用の対話型ディスプレイホルダ。
【請求項７】
前記ホルダ上で前記グリップをディスプレイするよう、前記バックボードの最上端部に取り付けられるハンドルを更に有する、請求項１記載のグリップ用の対話型ディスプレイホルダ。
【請求項８】
ゴルフクラブグリップ用の対話型ディスプレイホルダであって、
ゴルフクラブグリップを受容する、長さ方向に延在するバックボードと、
前記バックボードの下端部に取り付けられる下支持部であって、前記ゴルフクラブグリップの下端部における開口部を受容するよう構成される円筒部分を有するベースを含み、前記バックボード上で前記ゴルフクラブグリップの前記下端部において前記ゴルフクラブグリップを解放可能に保持する下支持部と、
前記バックボードの上端部に取り付けられる上支持部であって、先端部に移動可能に取り付けられるアームを有し、前記アームが前記ゴルフクラブグリップの終端部における孔と解放可能に係合されるよう構成される上支持部と、を備えるゴルフクラブグリップ用の対話型ディスプレイホルダ。
【請求項９】
前記上支持部は前記バックボードから横方向に延在するポストであって、前記ポスト上の前記アームが前記下支持部の前記円筒部分と軸方向に整列されるポストを有する、請求項８記載のゴルフクラブグリップ用の対話型ディスプレイホルダ。
【請求項１０】
前記下支持部の前記ベースは前記バックボードに対して略直角に取り付けられ、前記ベースは前記ポストに向かう方向に略直角に配置される台座突起部を含み、前記台座突起部は前記ポスト上の前記アームと整列される、請求項９記載のゴルフクラブグリップ用の対話型ディスプレイホルダ。
【請求項１１】
前記アームは、前記アームに前記ゴルフクラブグリップの前記上端部を解放可能に固定するよう前記ゴルフクラブグリップの前記孔と係合される一端部に少なくとも一つの環状リッジを更に有する、請求項１０記載のゴルフクラブグリップ用の対話型ディスプレイホルダ。
【請求項１２】
前記アームは、前記アームに前記ゴルフクラブグリップの前記上端部を解放可能に固定するよう前記ゴルフクラブグリップの前記孔に係合される端部に複数の離間された環状リッジを更に有する、請求項１１記載のゴルフクラブグリップ用の対話型ディスプレイホルダ。
【請求項１３】
前記ホルダ上で前記ゴルフクラブグリップをディスプレイするよう、前記バックボードの最上端部に取り付けられるハンドルを更に有する、請求項１２記載のゴルフクラブグリップ用の対話型ディスプレイホルダ。
【請求項１４】
前記ハンドルは、ディスプレイ時に前記ゴルフクラブグリップを吊るすホックを有する、請求項１３記載のゴルフクラブグリップ用の対話型ディスプレイホルダ。
【請求項１５】
前記ホック、前記ベース、前記台座突起部、前記ポスト、及び、前記アームはプラスチック材料よりなる、請求項１４記載のゴルフクラブグリップ用の対話型ディスプレイホルダ。
【発明の詳細な説明】
【技術分野】
【０００１】
本開示は、一般的に、ハンドグリップ用の対話型ディスプレイホルダに係わり、特に、ゴルフクラブグリップ用の新規の改善された対話型ディスプレイホルダに関わる。
【背景技術】
【０００２】
今日では、幅広い用途のために多数の形態のグリップが市場で入手可能である。これらの用途は、ハンマーのハンドルのような一般的なツール又は他のハンドツール用のグリップから各種スポーツ車両用のスポーツグリップ、及び、テニス、スカッシュ、ラケットボールのラケット、ゴルフクラブ等のスポーツ器具に及ぶ。本発明は、ゴルフクラブグリップ用の対話型ディスプレイホルダとして特に適しており、ゴルフクラブグリップ用の対話型ディスプレイホルダを参照して説明されるが、本発明はこれに制限されずスリップ・オン式適用のために構成される任意のスポーツグリップ又はハンドグリップにまで拡げられることが直ぐに分かるであろう。スリップ・オン式適用とは、グリップがハンドル又はシャフト上で摺動され、固定されるよう構成されることを意味する。
【０００３】
スインググリップ又はパターグリップであるゴルフクラブグリップが販売される場合、これらのグリップは、密閉されたパッケージ又は箱の何等かの形態で売り出されることが多い。そのため、感触を確認し、グリップをよく調べるためにグリップを扱うことを願う顧客にはあまり役に立たない。グリップの感触及びユーザの手へのはまり方、並びに、グリップの見掛けはゴルファー及び該グリップ用の器具とプレイ又は作業する顧客にとって重要である。ゴルファーは、それぞれのスポーツ、グリップの何を好み好まないか、どのような感触か、及び、ゲーム中にどのように見えるかに関して特に知識がある。ゲームの知識やグリップの見掛け及び感触に対する個人的な好みは、特定のタイプのゴルフクラブグリップに対する購入判断における原動要素となる。
【０００４】
顧客の手内でのグリップの感触を確認しグリップの全体的な見掛けを見るためにパッケージ又は箱を開けることなくグリップを扱えるようグリップへの顧客のアクセスを可能にする対話型グリップディスプレイホルダの必要性がまだ存在する。顧客がグリップを購入しないと選択した場合、グリップは提示可能な形態で元のディスプレイホルダに簡単に置き換えられる。
【発明の概要】
【０００５】
本開示は、ハンドグリップ用の対話型ディスプレイホルダに関わる。
【０００６】
本開示による対話型ディスプレイホルダは、グリップを受容するよう長さ方向に延在するバックボードを含む。バックボードは、グリップの下端部を支持するバックボードの下端部に取り付けられる下支持部を有する。バックボードは、バックボードの上端部に取り付けられる上支持部も含む。上支持部は、一端部に旋回してグリップの上端部における孔と解放可能に係合されるよう構成されるアームを含む。
【０００７】
本開示の対話型グリップディスプレイホルダは、パターグリップのようなゴルフクラブグリップに特に適している。
【０００８】
本開示を特徴付ける新規の様々な特徴は、本開示に添付されその一部をなす特許請求の範囲において詳細に指摘される。より良い理解と、使用することによる動作上の利点のために、添付の図面及び記述的事項を参照する。
【図面の簡単な説明】
【０００９】
【図１】図１は、本開示による対話型ディスプレイグリップホルダの立面斜視図であり、ゴルフクラブグリップは、ホルダで静止している第一の位置と、より詳しい検査やグリップ感触のためにホルダから解放されることができる第二の位置の二つの位置において幽霊線で示される。
【図２】図２は、本開示による対話型ディスプレイグリップホルダの側面図である。
【図３】図３は、本開示による対話型ディスプレイグリップホルダの正面図である。
【図４】図４は、本開示によるゴルフクラブグリップの終端部の部分断面側面図を保有する対話型ディスプレイグリップホルダの上部分の部分断面側面図である。
【図５】図５は、本開示によるゴルフクラブクリップの下端部分の部分断面側面図を含む、対話型ディスプレイグリップホルダの下部分の部分断面側面図である。
【図６】図６は、本開示によるゴルフクラブグリップの終端部の部分断面正面図を保有する対話型ディスプレイグリップホルダの上部分の部分正面図である。
【発明を実施するための形態】
【００１０】
本開示を制限することは意図せず、幾つかの図にわたって、同様の参照番号が同様の又は同一の特徴を指定する図を参照するに、最初、特に図１では、パターグリップ又はスインググリップのようなゴルフクラブグリップ１２（破線で示す）を保有する対話型ディスプレイグリップホルダ１０が示される。ゴルフクラブグリップ１２は、図４及び図６に最も良く示されるように、アーム２０がグリップの終端部における孔１２ａと係合した状態で上支持部１６によってバックボード１４上で保持され、このとき、グリップ１２の下端部又はシャフト端部における開口部１２ｂは下支持部１８上に置かれる。バックボード１４は、ボール紙、層状ボール紙、ファイバーボード、又はプラスチック或いはポリマー材料より構成されてもよく、上下支持部１６、１８で緩く且つ解放可能に保持されるグリップ１２を保持し支持するに十分な剛性を有する。バックボードの幅及び長さは、保持されディスプレイされることが意図されるグリップの長さ及び幅に応じてサイズが決められる。バックボード１４には、任意の商標、記述材料、装飾材料、又は、宣伝材料の配置のために幾らかの余地が残されるべきである。バックボード１４は、ディスプレイ用にホルダ１０及びグリップ１２を垂直方向に吊るすために最上端部にハンドル又はホック２２を含んでもよい。
【００１１】
上支持部１６は、図示するように、バックボード１４の上端部から離間され留め具２４で取り付けられてもよく、或いは、バックボードがプラスチックやポリマー材料よりなる場合にはバックボード１４と一体に形成されてもよい。支持部１６は、図２に示すように、バックボード１４から略直角に延在され、グリップ１２がバックボード１４上で緩く吊るされるよう十分な距離だけ延在される。一実施形態では、上支持部１６は、約９０度の角度でバックボート１４から突き出るようにして、バックボード１４に取り付けられたポストのような円筒形を有する。本実施形態ではポスト１６とも称される上支持部の先端部２６は、ポスト１６にピボット可能に取り付けられ、図１及び図２において矢印で示すように左右にではなく上下方向に旋回されるよう構成されるアーム２０を含む。アーム２０の動きは、図２及び図４において幽霊線で更に例示される。アーム２０は、バックボード１４上で上下又は垂直方向に約１８０度旋回することができる。アーム２０は、ポスト１６の先端部２６においてチャネル２８に移動可能に嵌められる。ポスト１６の端部における交差路３２に配置されるアーム２０上のサイドピン３０は、アーム２０をチャネル２８内で保持し、アーム２０のピボット式運動を可能にする。アーム２０は、グリップを保持することを可能にするために、図１に示すように、バックボード１４から離れるようにグリップ１２がスイングされるようバックボード１４から約９０度少なくともピボットすることができるはずである。望ましい場合には、アーム２０は左右方向にピボットできるようにされてもよいが、感触のためにグリップを保持し、より詳しい検査のためにグリップを見ることを可能にするためには、グリップは垂直又は上下方向にだけピボットされる必要がある。当然のことながら、アーム２０は、所望の程度までピボットされてもよい。ポスト１６のチャネル２８内に移動可能に固定されたアーム２０は、グリップ１２の孔１２ａに入り、緩く係合してグリップ１２を固定するに十分な長さ及び直径を有する。アーム２０は、バックボード１４から離れるようにスイングされた場合にグリップ１２を保持し保有するために、１乃至２センチメートルの長さにわたってもよく、或いは、望ましい場合にはより長くてもよい。アーム２０は、円筒形状を有し、グリップ１２の終端部における孔１２ａに簡単に摺動されるようサイズが決められた直径を有することが好ましい。アーム２０の直径が孔１２ａの直径よりも僅かに小さい場合、グリップをより良く見るためにグリップ１２は回転され得る。アーム２０は、アーム２０の遠端３６において一つ以上の離間された環状の円形リッジ３４を含むことが好ましい。リッジ３４はアーム２０でのグリップ１２の保有を容易にするため、リッジ３４は幾らかの難しさで孔１２ａに摺動されるべきである。グリップ１２がバックボード１４から離れるようにスイングされ、見込み客によって調べられる場合、複数の離間された環状の円形リッジ３４はグリップがアームから単に滑り落ちることを防止する。
【００１２】
バックボード１４に対して幽霊線に設けられる図１に示すように、グリップ１２の下端部における開口部１２ｂは下支持部１８上に置かれ、グリップを対話型ディスプレイホルダ１０において定位置で維持する。下支持部１８は、バックボード１４の下端部から離間され留め具２４で取り付けられてもよく、或いは、バックボードがプラスチック又はポリマー材料よりなる場合にはバックボード１４と一体に形成されてもよい。一実施形態における下支持部１８は、バックボード１４の底部にベース３８を含み、円筒形或いは円錐形部分又は台座突起部４０はベース３８上に位置決めされ、図５に最もよく示されるようにグリップ１２のシャフト端部から開口部１２ｂを受容するよう構成される。台座突起部４０は、グリップ１２がアーム２０から吊るされて台座突起部４０上に置かれるよう、アーム２０と略整列して位置決めされる。図５に示すように、台座突起部４０は、円筒部分がシャフト端部でグリップ１２を支持する状態で開口部１２ｂ内に嵌まるようにサイズが決められた円錐形状を有してもよい。台座突起部４０は、グリップ１２が対話型ディスプレイホルダで吊るされる場合に振り回されないようにする。
【００１３】
ポスト１６、アーム２０、ホック２２、留め具２４、ベース３８、及び、台座突起部４０は、プラスチック材料又はポリマー、或いは、説明したように機能することを可能にする任意の好適な材料よりなり得、同様の材料又は任意の好適な材料よりなる好適な留め具を用いてバックボード１４に取り付けられる。
【００１４】
本開示による対話型ディスプレイグリップホルダ１０は、見込み客がグリップの感触を評価するためにバックボードから離れるようにパターグリップをスイングするだけでなく、箱を開けることなく又はパッケージを破ることなくグリップ全体を注意深く調べることを可能にする。顧客は、吊るされている場所からホルダ１０を取り外し、パターグリップのシャフト端部を曲げて台座突起部４０から外し、アーム２０を用いてバックボード１４から離れるようにグリップをスイングすることができる。顧客は、グリップを評価するためにグリップ１２に両手を載せることができる。グリップを評価した後、顧客は、単にグリップ１２をバックボード１４に対してスイングして戻し、グリップ１２を曲げてグリップ１２の開口部１２ｂを台座突起部４０上に素早く戻し、ホルダ１０をディスプレイラック（図示せず）に再び吊るす。このように、本開示は、見込み客が商人の商品の提示又はディスプレイを妨害することなく商品と対話する機会を与える。
【００１５】
本開示はゴルフクラブグリップ、特に、パターグリップを特に参照したが、本開示がツールに使用される任意のタイプのスリップ・オン式グリップ、スポーツ車両用のハンドルバー、又は、ハンドグリップを用いる他のスポーツ器具にも適用可能であることは直ぐに明らかであり、ゴルフクラブグリップにだけ制限されると考えられてはならない。
【００１６】
本発明の特定の実施形態は本開示の原理の適用を例示するために詳細に示され説明されたが、本開示がそれ以外でもこのような原理から逸脱することなく具体化されてもよいことは理解されるであろう。
【図１】
2017205498.tif 000003
【図２】
2017205498.tif 000004
【図３】
2017205498.tif 000005
【図４】
2017205498.tif 000006
【図５】
2017205498.tif 000007
【図６】
2017205498.tif 000008